(57)【要約】【課題】排水栓蓋を有する排水栓部を細型化したうえで、インナーワイヤの座屈を効果的に防止することができる排水栓操作機構の提供を目的とする。【解決手段】本発明の排水栓操作機構１は、排水栓部２が、プランジャー開口部２２ａ、フランジ部２２ｂ、インナーワイヤ収容部２２ｃを有するプランジャー２２と、プランジャー収容部２３ａ、シャフト開口部２３ｂ、基端側外周に掛け部２３ｃを有するシャフト２３と、シャフト２３を内部に収容する外筒２４と、プランジャー収容部２３ａの内壁とフランジ部２２ｂとの間に配置された第一バネ２５と、シャフト収容部２４ａの内壁と掛け部２３ｃとの間に配置された第二バネ２６とを備え、シャフト２３は、シャフト２３の基端方向に向かって突出するガイド部２３ｆを有し、ガイド部２３ｆにシャフト開口部２３ｂが形成され、シャフト開口部２３ｂに挿通されたインナーワイヤＩをガイドする。【選択図】図５
2015021305.tif 000002
【特許請求の範囲】
【請求項１】
排水栓部と、前記排水栓部を操作する操作部と、前記操作部の操作によって前記排水栓部を動作させるインナーワイヤとを含む排水栓操作機構であって、
前記排水栓部は、
排水栓蓋と、
基端側に前記インナーワイヤが挿通されるプランジャー開口部を有し、基端側外周にフランジ部を有し、前記プランジャー開口部から先端側に向けて挿通されたインナーワイヤの先端部を内部に収容するインナーワイヤ収容部を有するプランジャーと、
前記プランジャーを内部に収容するプランジャー収容部を有し、基端側に前記インナーワイヤが挿通されるシャフト開口部を有し、基端側外周に掛け部を有し、先端側で前記排水栓蓋を支持する支持部を有するシャフトと、
前記シャフトを内部に収容するシャフト収容部を有する外筒と、
前記プランジャー収容部の内壁と前記プランジャーのフランジ部との間に前記シャフトの軸方向に伸縮可能に配置された第一バネと、
前記シャフト収容部の内壁と前記シャフトの掛け部との間に前記シャフトの軸方向に伸縮可能に配置された第二バネと、
を備え、
前記シャフトは、前記シャフトの基端方向に向かって突出するガイド部を有し、前記ガイド部に前記シャフト開口部が形成され、前記シャフト開口部に挿通された前記インナーワイヤをガイドし、
前記操作部の操作により、前記インナーワイヤが先端方向に移動し、前記第二バネが収縮して前記プランジャーが先端方向に移動して前記シャフトが前記外筒より突出する方向に移動し、突出した前記シャフトにシャフトの基端方向への外力が加わった場合に、前記第一バネの付勢力に抗して前記シャフトが基端方向に後退移動可能にされてなる排水栓操作機構。
【請求項２】
前記排水栓部がさらに、
前記外筒の基端側に取り付けられたケーシングキャップを備え、
前記ケーシングキャップが、前記第二バネの付勢力により基端方向に移動した前記シャフトの前記ガイド部を収容する収容凹部と、前記収容凹部に連通し、前記シャフト開口部から基端方向に延びる前記インナーワイヤを挿通するケーシングキャップ開口部と、前記ケーシングキャップの基端側に、前記ケーシングキャップから前記操作部に延びるアウターケーシングの一端が取り付けられるアウターケーシング取付部とを有する請求項１記載の排水栓操作機構。
【請求項３】
前記操作部は、
操作機構を収容するケースを有し、
該ケースの端部外周に、軸方向に延びる複数の切れ込み部を形成して、複数の板状部に分割し、
該板状部を結束部材により結束させて、前記ケースと前記アウターケーシングの他端とを固定させた請求項２記載の排水栓操作機構。
【発明の詳細な説明】
【技術分野】
【０００１】
本発明は排水栓操作機構に関する。
【背景技術】
【０００２】
インナーワイヤを用い、遠隔操作により排水栓を開閉させる排水栓操作機構は、従来のいわゆる「リンク機構式」に比べてレイアウトが自由になることから、主流になりつつある。このようなインナーワイヤを用いた排水栓操作機構では、アウターケーシングを有する遠隔操作用ケーブルが操作部から排水栓まで延びており、アウターケーシング内に配置されたインナーワイヤが操作力を排水栓に伝達することで、排水栓が開閉駆動される。
【０００３】
このような排水栓操作機構において、排水栓への衝撃および荷重を軽減するものとして、特許文献１の排水栓装置が開示されている。
【０００４】
この排水栓装置では、図９に示されるように、コアコイル１００がアウターチューブ１０１に締結されたプランジャーガイド１０２でガイドされている。また、図９および図１０に示されるように、排水栓（図示せず）と接続するプランジャー軸１０３とコアコイル１００の端部と嵌着するショックアブソーバ押え１０４との間にショックアブソーバスプリング１０５を配置し、プランジャー軸１０３に作用する衝撃力及び荷重（排水栓に作用する衝撃力及び荷重）をショックアブソーバスプリング１０５の弾性力で緩衝している。
【０００５】
この排水栓装置によると、衝撃力をショックアブソーバスプリング１０５で緩衝しているとともに、コアコイル１００の外周を覆っているプランジャーガイド１０２が、コアコイル１００を湾曲しないように支持しており、コアコイル１００の座屈が防止される。プランジャーガイド１０２は、図９および図１０に示されるように、アウターケーシングが固定される固定部位１０２ａと、固定部位１０２ａから図９中、上方に長く延びる筒状部１０２ｂとを備えている。そして、図９に示されるように、コアコイル１００だけでなく、プランジャーガイド１０２の筒状部１０２ｂをショックアブソーバ押え１０４内に収容できるように構成されている。
【０００６】
一方、排水栓蓋を開いたときの排水効率を高めたり、排水栓蓋の下部側の構造の自由度を高めたりするために、排水栓操作機構の排水管内部に占める径方向の寸法を小さくすることが求められている。
【先行技術文献】
【特許文献】
【０００７】
【特許文献１】特開２００８−２２３４５３号公報
【発明の概要】
【発明が解決しようとする課題】
【０００８】
しかし、特許文献１の排水栓装置では、コアコイル１００の座屈は防ぐことはできるものの、ショックアブソーバ押え１０４内に、コアコイル１００だけでなく、プランジャーガイド１０２の筒状部１０２ｂを収容する必要があるため、複数の部材が径方向に設けられており、排水栓装置の径方向の寸法が大きくなってしまうという問題がある。一方、径方向の寸法を小さくするために、特許文献１のプランジャーガイド１０２の筒状部１０２ｂを設けない場合は、コアコイル１００が座屈してしまうという問題が生じる。
【０００９】
本発明は、かかる事情に鑑みて、排水栓蓋を有する排水栓部を細型化したうえで、排水栓部を操作するために用いられるインナーワイヤの座屈を効果的に防止することができる排水栓操作機構の提供を目的とする。
【課題を解決するための手段】
【００１０】
本発明の排水栓操作機構は、排水栓部と、前記排水栓部を操作する操作部と、前記操作部の操作によって前記排水栓部を動作させるインナーワイヤとを含む排水栓操作機構であって、前記排水栓部は、排水栓蓋と、基端側に前記インナーワイヤが挿通されるプランジャー開口部を有し、基端側外周にフランジ部を有し、前記プランジャー開口部から先端側に向けて挿通されたインナーワイヤの先端部を内部に収容するインナーワイヤ収容部を有するプランジャーと、前記プランジャーを内部に収容するプランジャー収容部を有し、基端側に前記インナーワイヤが挿通されるシャフト開口部を有し、基端側外周に掛け部を有し、先端側で前記排水栓蓋を支持する支持部を有するシャフトと、前記シャフトを内部に収容するシャフト収容部を有する外筒と、前記プランジャー収容部の内壁と前記プランジャーのフランジ部との間に前記シャフトの軸方向に伸縮可能に配置された第一バネと、前記シャフト収容部の内壁と前記シャフトの掛け部との間に前記シャフトの軸方向に伸縮可能に配置された第二バネと、を備え、前記シャフトは、前記シャフトの基端方向に向かって突出するガイド部を有し、前記ガイド部に前記シャフト開口部が形成され、前記シャフト開口部に挿通された前記インナーワイヤをガイドし、前記操作部の操作により、前記インナーワイヤが先端方向に移動し、前記第二バネが収縮して前記プランジャーが先端方向に移動して前記シャフトが前記外筒より突出する方向に移動し、突出した前記シャフトにシャフトの基端方向への外力が加わった場合に、前記第一バネの付勢力に抗して前記シャフトが基端方向に後退移動可能にされてなることを特徴とする。
【００１１】
また、前記排水栓部がさらに、前記外筒の基端側に取り付けられたケーシングキャップを備え、前記ケーシングキャップが、前記第二バネの付勢力により基端方向に移動した前記シャフトの前記ガイド部を収容する収容凹部と、前記収容凹部に連通し、前記シャフト開口部から基端方向に延びる前記インナーワイヤを挿通するケーシングキャップ開口部と、前記ケーシングキャップの基端側に、前記ケーシングキャップから前記操作部に延びるアウターケーシングの一端が取り付けられるアウターケーシング取付部とを有することが好ましい。
【００１２】
また、前記操作部は、操作機構を収容するケースを有し、該ケースの端部外周に、軸方向に延びる複数の切れ込み部を形成して、複数の板状部に分割し、該板状部を結束部材により結束させて、前記ケースと前記アウターケーシングの他端とを固定させることが好ましい。
【発明の効果】
【００１３】
本発明によれば、排水栓蓋を有する排水栓部を細型化したうえで、排水栓部を操作するために用いられるインナーワイヤの座屈を効果的に防止することができる。
【図面の簡単な説明】
【００１４】
【図１】本発明の排水栓操作機構の全体図である。
【図２】本発明の排水栓操作機構の操作部を示す部分断面図である。
【図３】本発明の排水栓操作機構の操作機構を示す図である。
【図４】（ａ）は本発明の排水栓操作機構のうち、操作部のケースを示す側面図であり、（ｂ）は本発明の排水栓操作機構のうち、操作部のケースを、図４（ａ）の下側から見た下面図である。
【図５】本発明の排水栓操作機構の排水栓部の部分断面図である。
【図６】図５の排水栓部の分解組立図である。
【図７】本発明の排水栓操作機構の排水栓部が操作され、シャフトが先端方向に移動した状態を示す断面図である。
【図８】図７の状態から、シャフトが基端方向にわずかに押し下げられた状態を示す断面図である。
【図９】従来の排水栓装置を示す断面図である。
【図１０】図９に示される従来の排水栓装置の分解組立図である。
【発明を実施するための形態】
【００１５】
以下、添付図面を参照し、本発明の排水栓操作機構を詳細に説明する。
【００１６】
図１に示されるように、本発明の排水栓操作機構１は、排水栓部２と、排水栓部２を操作する操作部３と、操作部３の操作によって排水栓部２を動作させるインナーワイヤＩとを含んでいる。本発明の排水栓操作機構１は、操作部３の操作によりインナーワイヤＩを操作して排水栓部２を動作させるものであれば、その適用範囲は特に限定されないが、たとえば浴槽に取り付けて使用される。インナーワイヤＩは、操作部３から排水栓部２まで、アウターケーシングＯ内に挿通されて案内されている。
【００１７】
操作部３は、排水栓部２の排水栓蓋２１を開閉するために操作され、図１に示されるように、浴槽の上部周縁部Ｆの近傍に取り付けられる。操作部３は、操作ボタン３１と、操作機構３２（図２参照）を収容するケース３３を有している。
【００１８】
操作機構３２は、操作部３側から排水栓部２側に向かって延びるインナーワイヤＩを操作するための機構である。操作機構３２は、操作ボタン３１に一端が連結された操作シャフト３２ａを有し、操作シャフト３２ａにより操作ボタン３１の操作を伝達する。操作シャフト３２ａの他端（図２中、下側の端部）には、図２および図３に示されるように、カルラックギア部Ｇ１が形成されている。また、操作機構３２は、この操作シャフト３２ａのカルラックギア部Ｇ１の歯と向かい合う歯を有する子ギアＧ２が設けられ、インナーワイヤＩの一端が接続されるインナーワイヤ接続部材３２ｂを有している。インナーワイヤ接続部材３２ｂの子ギアＧ２は、操作シャフト３２ａに対して軸周りに回転可能に取り付けられている。インナーワイヤ接続部材３２ｂには、子ギアＧ２の反対側にインナーワイヤ接続部Ｃが設けられ、インナーワイヤＩの一端がカシメ等により固定されている。
【００１９】
ケース３３の、操作シャフト３２ａが設けられている端部とは逆側の端部には、図１および図２に示されるように、アウターケーシング取付部材３４が設けられ、アウターケーシングＯの端部が固定される。アウターケーシングＯの一端が排水栓部２に固定され、アウターケーシングＯの他端がアウターケーシング取付部材３４に固定されることにより、インナーワイヤ接続部材３２ｂから排水栓部２に延びるインナーケーブルＩを案内する。本実施形態では、図４（ａ）および（ｂ）に示されるように、ケース３３の端部外周に、軸方向に延びる複数の切れ込み部３３ａを形成して、複数の板状部３３ｂに分割し、板状部３３ｂを結束部材３３ｃ（図１および図２参照）により結束させて、ケース３３とアウターケーシングＯの他端とを固定させている。具体的には、図４（ｂ）に示されるように、４つの切れ込み部３３ａが形成されて、４つの板状部３３ｂに分割されている。この板状部３３ｂを略Ｃ字状のリングのような結束部材３３ｃにより、ケース３３の外周側から結束させて、ケース３３とアウターケーシングＯの他端とを固定している。ケース３３とアウターケーシングＯ（またはアウターケーシング取付部材３４）とをこのように固定することにより、ケース３３内部とケース３３外部とが、切り込み部３３ａにより連通する。したがって、操作ボタン３１と浴槽の上部周縁部Ｆとの間からケース３３内部に入った場合でも、水分を切り込み部３３ａから排出することができる。さらに、アウターケーシングＯのケース３３への固定・取り外しも容易となる。なお、切れ込み部３３ａの形状や個数は、図示する形状に限られるものではなく、ケース３３内部に入った水分を排出することができるとともに、ケース３３とアウターケーシングＯとを結束部材３３ｃにより固定できるものであれば、図示する形状、個数に限定されるものではない。
【００２０】
また、ケース３３の内壁には、子ギアＧ２の歯と係合可能な係合部（図示せず）が形成され、カルラックギア部Ｇ１、子ギアＧ２、ケース３３の内壁に形成された係合部、および、ケース３３内に設けられ、インナーワイヤ接続部材３２ｂを操作シャフト３２ａ側に向かって付勢するコイルバネ３５（図２参照）によりスラストロック機構が構成されている。スラストロック機構は、ボールペンの芯等の軸方向への上下動についてのロック／アンロックに用いられる機構であり、操作シャフト３２ａがケース３３から突出した状態（図２の状態）と、操作シャフト３２ａがケース３３内に押し込まれた状態の２つの状態で、操作シャフト３２ａを保持することができる。具体的には、操作ボタン３１を押し込み、操作シャフト３２ａが図２中、下方に押圧操作されたときに、子ギアＧ２も下方に移動して、子ギアＧ２がケース３３の内壁の係合部と係合して、操作シャフト３２ａを押し込んだ状態で保持するとともに、再度操作シャフト３２ａを押し込むと、子ギアＧ２とケース３３の内壁の係合部との係合が解除されるとともに、コイルバネ３５の付勢力により操作シャフト３２ａが図２中、上方に移動してもとの状態に復帰する。
【００２１】
この動きにより、インナーワイヤ接続部材３２ｂもケース３３内を軸方向に沿って前進（図２中、下方へ移動）した前進位置と、後退（図２中、上方へ移動）した後退位置の２箇所で保持されるため、インナーワイヤＩも前進位置と後退位置で保持され、操作ボタン３１の操作により、インナーワイヤＩは前進移動と後退移動を行う。このインナーワイヤＩの前進移動および後退移動により、インナーワイヤＩにより操作部３と連結された排水栓部２の開放動作および閉鎖動作を行う。
【００２２】
操作部３の操作により駆動される排水栓部２は、図１に示されるように、排水栓蓋２１を有し、排水栓蓋２１により排水口Ｄを開閉する。また、排水栓部２は、図５および図６に示されるように、基端側にインナーワイヤＩが挿通されるプランジャー開口部２２ａを有し、基端側外周にフランジ部２２ｂを有し、プランジャー開口部２２ａから先端側に向けて挿通されたインナーワイヤＩの先端部を内部に収容するインナーワイヤ収容部２２ｃを有するプランジャー２２と、プランジャー２２を内部に収容するプランジャー収容部２３ａを有し、基端側にインナーワイヤＩが挿通されるシャフト開口部２３ｂを有し、基端側外周に掛け部２３ｃを有し、先端側で排水栓蓋２１を支持する支持部２３ｄを有するシャフト２３と、シャフト２３を内部に収容するシャフト収容部２４ａを有する外筒２４とを備えている。なお、先端側とは、それぞれの部材について、排水栓部２の排水栓蓋２１が設けられている方向の端部側（図５中、上側）であり、基端側とは、それぞれの部材について、先端側と逆側の端部側（図５中、下側）をいう。また、後述する先端方向とは、排水栓蓋２１に向かう方向（図５中、上方向）であり、基端方向については先端方向の逆方向（図５中、下方向）をいう。
【００２３】
また、排水栓部２はさらに、図５および図６に示されるように、プランジャー収容部２３ａの内壁とプランジャー２２のフランジ部２２ｂとの間にシャフト２３の軸方向に伸縮可能に配置された第一バネ２５と、シャフト収容部２４ａの内壁とシャフト２３の掛け部２３ｃとの間にシャフト２３の軸方向に伸縮可能に配置された第二バネ２６とを備えている。詳細は後述するが、操作部３の操作により、インナーワイヤＩが先端方向に移動し、第二バネ２６が収縮してプランジャー２２が先端方向に移動してシャフト２３が外筒２４より突出する方向に移動し、突出したシャフト２３にシャフト２３の基端方向への外力が加わった場合に、第一バネ２５の付勢力に抗してシャフト２３が基端方向に後退移動可能にされている。なお、第一バネ２５は、第二バネ２６よりも付勢力が大きくなるように設定されるが、第一バネ２５および第二バネ２６の付勢力は、本発明の目的を達成できる範囲で、適宜変更が可能である。
【００２４】
プランジャー２２は、操作部３により操作されるインナーワイヤＩによりシャフト２３の軸方向に沿って移動する部材である。プランジャー２２は、操作部３により排水栓部２に向かって前進させられたインナーワイヤＩの先端が当接するインナーワイヤ当接部２２ｄを有している。本実施形態では、インナーワイヤ当接部２２ｄは、先端側に底を有する有底筒状体として形成されたプランジャー２２の底として示されているが、プランジャー２２がインナーワイヤＩの前進移動により先端方向に移動できるように構成されていれば、孔が開いているもの等であってもよい。また、プランジャー２２の基端側には、第一バネ２５の一端を支持するために、フランジ部２２ｂが基端側外周に環状に形成されている。プランジャー２２のインナーワイヤ収容部２２ｃの内部には、インナーワイヤＩが摺動可能な、インナーワイヤＩとほぼ同径の内腔が形成され、インナーワイヤＩがプランジャー２２の内腔内にほぼ隙間なく配置される。
【００２５】
シャフト２３は、操作部３が操作されてインナーワイヤＩが前進移動し、プランジャー２２が先端方向へ移動すると、排水口Ｄが開放するように、シャフト２３に載せられた排水栓蓋２１を移動させ、操作部３が操作されてインナーワイヤＩが後退移動すると、第二バネ２６の付勢力により基端方向へ移動して、排水口Ｄが閉鎖するように、排水栓蓋２１を移動させる部材である。シャフト２３は、内部にプランジャー２２および第一バネ２５を収容する内腔を有している。シャフト２３の内部において、図５に示されるように、第一バネ２５は、プランジャー収容部２３ａの内壁、すなわち、段部として形成されたシャフト２３の軸方向に垂直な面である第一バネ当接部２３ｅ（図６参照）とフランジ部２２ｂの間に介装されている。シャフト２３の内腔は、後述するようにプランジャー２２がシャフト２３内で移動できるような軸方向の長さを有している。たとえば、シャフト２３の内腔は、シャフト２３の軸方向のストロークの分だけ、プランジャー２２が軸方向に移動できるように構成される。シャフト２３は、プランジャー２２および第一バネ２５を収容することができれば、一部材であっても、複数の部材で構成してもよいが、本実施形態では、シャフト２３は、図６に示されるように、プランジャー収容部２３ａおよび支持部２３ｄを有するシャフト部材２３１と、シャフト部材２３１に取り付けられ、掛け部２３ｃ、後述するガイド部２３ｆおよびシャフト開口部２３ｂを有するキャップ部材２３２により構成されている。より具体的には、シャフト部材２３１には、キャップ部材２３２と螺合するために、基端側外周に雄ネジ部２３１ａが形成され、キャップ部材２３２には、掛け部２３ｃの内周側に雌ネジ部２３２ａが形成されて、シャフト部材２３１とキャップ部材２３２とが螺合されて、シャフト２３を構成している。
【００２６】
また、シャフト２３は、シャフト２３の基端方向に向かって突出するガイド部２３ｆを有し、ガイド部２３ｆにシャフト開口部２３ｂが形成されている。詳細は後述するが、ガイド部２３ｆはシャフト開口部２３ｂに挿通されたインナーワイヤＩをガイドし、インナーワイヤＩの座屈を防止する。ガイド部２３ｆは、本実施形態では、インナーワイヤＩを挿通可能なシャフト開口部２３ｂを有する円筒状の突出部として構成されているが、ガイド部２３ｆは、インナーワイヤＩを挿通可能で、シャフト２３の基端方向に向かって突出するものであれば、その形状は特に限定されるものではない。したがって、ガイド部２３ｆは円筒状だけでなく、軸方向に切り込みが入ったような、インナーワイヤＩの外周部を部分的にガイドするものであってもよい。
【００２７】
シャフト２３は、図５に示されるように、略円筒状の外筒２４の先端側開口２４ｂから、シャフト２３の支持部２３ｄが突出した状態で収容される。図５および図６に示されるように、排水栓部２はさらに、操作部３から排水栓部２にかけてインナーワイヤＩを案内するアウターケーシングＯを取り付けるためのケーシングキャップ２７を備えている。ケーシングキャップ２７は、図５に示されるように、外筒２４の基端側に取り付けられて、シャフト２３を外筒２４内に収容する。外筒２４は、ケーシングキャップ２７に設けられた係止部２７ａが係止孔２４ｃに係止されることにより固定され、外筒２４内にシャフト２３および第二バネ２６が収容される。第二バネ２６は、シャフト収容部２４ａの内壁、すなわち、シャフト収容部２４ａの内側の軸方向に対して垂直な面である第二バネ当接部２４ｄ（図６参照）と、シャフト２３の掛け部２３ｃの先端面との間に介装されている。
【００２８】
また、図５および図６に示されるように、ケーシングキャップ２７は、第二バネ２６の付勢力により基端方向に移動したシャフト２３のガイド部２３ｆを収容する収容凹部２７ｂと、収容凹部２７ｂに連通し、シャフト開口部２３ｂから基端方向に延びるインナーワイヤＩを挿通するケーシングキャップ開口部２７ｃと、ケーシングキャップ２７の基端側に、ケーシングキャップ２７から操作部３に延びるアウターケーシングＯの一端が取り付けられるアウターケーシング取付部２７ｄとを有している。ケーシングキャップ２７の収容凹部２７ｂは、ガイド部２３ｆを収容できる形状、寸法であれば特に限定されないが、ガイド部２３ｆの突出高さと収容凹部２７ｂの深さとが同程度であることが好ましい。
【００２９】
つぎに、本発明の排水栓操作機構１の動作について説明する。
【００３０】
図１は、排水口Ｄが排水栓蓋２１により閉鎖された状態を示し、図５はそのときの排水栓部２を示している。この排水口Ｄが閉鎖された状態では、操作ボタン３１が押し込まれておらず、インナーワイヤＩは前進せず、インナーワイヤＩはプランジャー２２のインナーワイヤ当接部２２ｄと当接していない。したがって、プランジャー２２は先端方向に移動せずに、シャフト２３も第二バネ２６により基端方向に付勢されて、ケーシングキャップ２７の先端側と当接し、図５に示されるように、シャフト２３は先端部（支持部２３ｄ）のみが外筒２４から突出した状態で保持されている。この状態から、操作ボタン３１を図１中、下方に押し込むと、操作ボタン３１の操作により、操作シャフト３２ａ等の操作機構３２が操作され、インナーワイヤＩが前進移動して、上述したカルラックギア部Ｇ１、子ギアＧ２等のスラストロック機構により、インナーワイヤＩが前進移動した状態で保持される。インナーワイヤＩが前進移動すると、インナーワイヤＩがアウターケーシングＯにガイドされながら、排水栓部２においても前進移動して、プランジャー２２のインナーワイヤ当接部２２ｄと当接してプランジャー２２を先端方向に押し上げる。プランジャー２２が先端方向に押し上げられたとき、図７に示されるように、第一バネ２５は圧縮されずに、第二バネ２６が圧縮され、シャフト２３およびシャフト２３に載せられた排水栓蓋２１も押し上げられ、排水口Ｄの下方において固定された外筒２４から突出する方向に移動する。図７に示す状態のようにシャフト２３が移動して、排水栓蓋２１が押し上げられると、排水口Ｄが開放し、浴槽内の水が図示しない排水管を経由して排水される。
【００３１】
ここで、排水栓蓋２１が押し上げられた状態にあるとき、偶発的に人が排水栓蓋２１に乗ってしまった場合など、排水栓蓋２１に基端方向の外力が加わった場合、図８に示されるように、第一バネ２５の付勢力に抗してシャフト２３が基端方向に後退移動する。プランジャー２２は、位置が保持されているインナーワイヤＩの先端と当接しているため、図８に示される状態で保持されており、第一バネ２５は基端方向に移動したシャフト２３の第一バネ当接部２３ｅとプランジャー２２のフランジ部２２ｂとの間で圧縮される。このとき、インナーワイヤＩにはプランジャー２２のインナーワイヤ当接部２２ｄから基端方向の力が加わるため、座屈の問題が生じ得る。
【００３２】
本発明では、インナーワイヤＩの露出部位であるＡ１およびＡ２の中間部において、インナーワイヤＩの軸方向に沿って所定の長さインナーワイヤＩを直線的にガイドするガイド部２３ｆが形成されている。このガイド部２３ｆは、シャフト２３の基端部が平板状のもの（基端方向に突出したガイド部２３ｆがないもの）と比較して、インナーワイヤＩを直線的にガイドする部分が軸方向に長く形成される。したがって、シャフト２３の基端部が平板状のものの場合、ガイド部２３ｆを設けた場合と比較してインナーワイヤＩに局所的に力が加わり座屈しやすいが、インナーワイヤＩの露出部分の中間部（Ａ１とＡ２との間）において、所定の長さインナーワイヤＩを直線的にガイドして、インナーワイヤＩを直線的に方向付けることにより、インナーワイヤＩの露出部位Ａ１、Ａ２における座屈を防止することができる。そして、ガイド部２３ｆは基端方向に突出しており、上述した特許文献１のように、プランジャー内に座屈を防止するための筒状部を設ける必要がないため、プランジャー２２内の空間は、インナーワイヤＩを収容できる空間だけを形成すればよく、プランジャー２２の径方向の寸法を小さくすることができる。したがって、ガイド部２３ｆを基端方向に突出して設けることにより、排水栓部２を細型化したうえで、排水栓部２を操作するために用いられるインナーワイヤＩの座屈を効果的に防止することができる。
【００３３】
また、ケーシングキャップ２７にガイド部２３ｆが収容される収容凹部２７ｂを設けることにより、ガイド部２３ｆが収容凹部２７ｂ内に入ったときに収容凹部２７ｂによってシャフト２３が軸方向の動きを案内され、より座屈を防止しやすくなる。また、本実施形態では、排水栓部２のみに座屈防止機構であるガイド部２３ｆが設けられている。したがって、操作部３側には座屈防止機構を設ける必要がないため、操作部３側の設計の自由度をより高めることができる。
【符号の説明】
【００３４】
１  排水栓操作機構
２  排水栓部
２１  排水栓蓋
２２  プランジャー
２２ａ  プランジャー開口部
２２ｂ  フランジ部
２２ｃ  インナーワイヤ収容部
２２ｄ  インナーワイヤ当接部
２３  シャフト
２３ａ  プランジャー収容部
２３ｂ  シャフト開口部
２３ｃ  掛け部
２３ｄ  支持部
２３ｅ  第一バネ当接部
２３ｆ  ガイド部
２３１  シャフト部材
２３１ａ  雄ネジ部
２３２  キャップ部材
２３２ａ  雌ネジ部
２４  外筒
２４ａ  シャフト収容部
２４ｂ  先端側開口
２４ｃ  係止孔
２４ｄ  第二バネ当接部
２５  第一バネ
２６  第二バネ
２７  ケーシングキャップ
２７ａ  係止部
２７ｂ  収容凹部
２７ｃ  ケーシングキャップ開口部
２７ｄ  アウターケーシング取付部
３  操作部
３１  操作ボタン
３２  操作機構
３２ａ  操作シャフト
３２ｂ  インナーワイヤ接続部材
３３  ケース
３３ａ  切れ込み部
３３ｂ  板状部
３３ｃ  結束部材
３４  アウターケーシング取付部材
３５  コイルバネ
Ａ１、Ａ２  インナーワイヤの露出部位
Ｃ  インナーワイヤ接続部
Ｄ  排水口
Ｆ  上部周縁部
Ｇ１  カルラックギア部
Ｇ２  子ギア
Ｉ  インナーワイヤ
Ｏ  アウターケーシング
【図１】
2015021305.tif 000003
【図２】
2015021305.tif 000004
【図３】
2015021305.tif 000005
【図４】
2015021305.tif 000006
【図５】
2015021305.tif 000007
【図６】
2015021305.tif 000008
【図７】
2015021305.tif 000009
【図８】
2015021305.tif 000010
【図９】
2015021305.tif 000011
【図１０】
2015021305.tif 000012